(57)【要約】【課題】多種のディスクを記録再生する装置において、装置内に挿入されたメディアの種別を短時間で判定することを目的とし、また、判定の精度を向上することを目的とする。【解決手段】本発明は、ＲＦＩＤリーダライタ３と、ＲＦＩＤタグ１０２の固有ＩＤ情報とディスク種別の情報を１対１に対応させ記憶している履歴管理用の記憶手段４を具備し、記録再生装置にメディア１０１が挿入された時点で、ＲＦＩＤタグ１０２固有のＩＤ情報を読み取り、上記履歴管理記憶手段４内に記憶されているＲＦＩＤタグ固有のＩＤ情報から、上記読み取られたＩＤ情報と一致するものを検出して、一致したＲＦＩＤタグ固有のＩＤ情報と１対１に対応し記憶されているディスクメディア種別を読み取り上記挿入されたディスクの種別を知ることを基本的構成として備える。【選択図】        図１
2004362628.tif 000002
【特許請求の範囲】
【請求項１】
通信領域内のディスクメディアに貼付される非接触型ＩＣタグＲＦＩＤタグ）に記録されるＩＤ情報をリードまたはライトするＲＦＩＤリーダライタと、ＲＦＩＤタグ固有のＩＤ情報とメディア種別の情報を１対１に対応させた種別情報を記憶する履歴管理用の記憶手段と、前記ＲＦＩＤリーダライタ、記憶手段を制御する制御手段を備え、
前記制御手段は、ＲＦＩＤリーダライタがリードしたＩＤ情報と記憶手段が記憶する種別情報とを比較判定する手段を有し、該比較判定手段はリードしたＩＤ情報と一致する種別情報の有無を判定し、制御手段は判定結果によって記録再生動作を制御することを特徴とするディスクメディア記録再生装置。
【請求項２】
前記制御手段はＲＦＩＤリーダライタがリードしたＩＤ情報と一致する種別情報が検出されたとき、判定されたディスクメディアのメディア種別による記録再生を実行し、ＲＦＩＤリーダライタがリードしたＩＤ情報と一致する種別情報が検出されないときは、別の手段による前記ディスクメディアのメディア種別の判定を実行させ、判定結果を前記履歴管理用の記憶手段に前記ＲＦＩＤタグ固有のＩＤ情報とメディア種別の情報を１対１に対応させて記憶させるように制御することを特徴とする請求項１記載のディスクメディア記録再生装置。
【請求項３】
制御手段はディスクメディアがディスク挿入時可動域にあるときＲＦＩＤリーダライタを作動させて第一のリードを実行させ、該ディスクメディアが通信領域内にあるとき、ＲＦＩＤリーダライタを作動させて第二のリードを実行させるとともに、比較判定回路が第二のリードで検知されたＩＤ情報により種別情報との比較判定を実行するよう制御することを特徴とする請求項１記載のディスクメディア記録再生装置。
【請求項４】
制御手段は電源がオフからオンになったとき、ＲＦＩＤリーダライタを作動させ、ＩＤ情報のリードを実行させるよう制御することを特徴とする請求項１記載のディスクメディア記録再生装置。
【請求項５】
制御手段はディスクメディアがディスク挿入時可動域に挿入されたとき、前記ディスクメディアに貼付されている前記ＲＦＩＤタグにディスク挿入時可動域にあることを示すフラグをセットし、該ディスクメディアが挿入時可動域から装置外に排出されるとき、該フラグをリセットするよう制御することを特徴とする請求項１記載のディスクメディア記録再生装置。
【請求項６】
制御手段は電源がオフからオンになったとき、ＲＦＩＤリーダライタにＲＦＩＤタグのＩＤ情報とＲＦＩＤタグにセットされているディスク挿入時可動域にあることを示すフラグをリードさせ、前記フラグがセットされている場合には、該ＲＦＩＤタグが貼付されているディスクメディアが電源オフ時には可動域に挿入されていたと判定することを特徴とする請求項５記載のディスクメディア記録再生装置。
【請求項７】
前記制御手段は記録動作が開始される時点でディスクメディアに貼付されているＲＦＩＤタグに記録動作中であることを示すフラグをセットし、ディスクメディアに対する記録動作が終了した時点で該フラグをリセットすることを特徴とする請求項１記載のディスクメディア記録再生装置。
【請求項８】
制御手段は電源がオフからオンになった直後に、ＲＦＩＤリーダライタを作動させ、ＩＤ情報と記録動作中であることを示すフラグをリードさせ、前記フラグがセットされていた場合は、前記記録動作が異常終了したと判断し、ただちにディスクメディアの修復動作を実行することを特徴とする請求項７記載のディスクメディア記録再生装置。
【請求項９】
請求項１記載のディスクメディア記録再生装置において、前記履歴管理用の記録手段を不揮発性のＩＣメモリとすることを特徴とするディスクメディア記録再生装置。
【請求項１０】
請求項１記載のディスクメディア記録再生装置において、前記履歴管理用の記録手段をハードディスクとすることを特徴とするディスクメディア記録再生装置。
【請求項１１】
請求項１記載のディスクメディア記録再生装置において、装置内にハードディスクドライブを備え、該ハードディスクドライブに予め前記履歴管理用記録手段に記憶されているＲＦＩＤタグ固有のＩＤ情報と１対１に対応させて記憶させているディスクメディアのインデックス情報を記憶させ、前記ディスクメディアがディスク挿入時可動域内に挿入されたとき、該情報を表示装置に表示させるよう制御することを特徴とするディスクメディア記録再生装置。
【請求項１２】
通信領域内のディスクメディアに貼付される非接触型ＩＣタグに記録されるＩＤ情報をリードまたはライトするＲＦＩＤリーダライタ機能を有し、ＲＦＩＤタグ固有のＩＤ情報とメディア種別の情報を１対１に対応させて記憶する管理記憶部が有するディスク種別情報とＲＦＩＤリーダライタ機能で取得したＩＤ情報を比較判定し、ＲＦＩＤリーダライタ機能で取得したＩＤ情報と一致するディスク種別情報が管理記憶部にあったとき、メディア種別を判定するディスク判定方法。
【請求項１３】
ＲＦＩＤリーダライタ機能で取得したＩＤ情報と一致するディスク種別情報が管理記憶部に無いとき、別の手段により得た前記ディスクメディアのメディア種別を管理記憶部が有するディスク種別情報として記憶することを特徴とする請求項１２記載のディスク判定方法。
【発明の詳細な説明】
【０００１】
【発明の属する技術分野】
本発明は、種々のディスクメディアを記憶媒体とする記録再生装置に関し、特に、記録再生装置が取り扱うべきメディアの種類および状態を判別するための技術に属する。
【０００２】
【従来の技術】
現在、ＣＤやＤＶＤなどの同一形状を取るディスクメディア（以下ディスクともいう）が多種存在している。
各ディスクは、それぞれデータを記録再生するための規格が異なっているため、記録再生を行う場合には専用のドライバ装置を含むシステムが必要であった。例えば２種のディスクを記録再生できるシステムを構築する場合には、それぞれのディスクに対して専用な２種のドライバ装置を装備する必要があった。
しかしながら、各ディスクの規格に関しては重複している部分も多く、ＩＣ／ＬＳＩ等の回路やピックアップモジュールを共用化することで、複数種のディスクを単一のドライブで記録再生できるシステムを構築することが可能である。ただし、この場合、機器内にディスクが挿入されてから、現在対象としているディスクがどの規格に属するものであるのかを判別する必要があった。
【０００３】
ディスク（メディア）判別の方式には各種あり、判定精度とセットアップ時間の短縮という観点から判別方式が選定される場合が多い。ＣＤ／ＤＶＤの判別方法で一般的なもののひとつとして、ディスクをある一定回転数で回しておいてシンクを検出し、その長さからＣＤであるかＤＶＤであるかを判別する方式がある。
しかしながらこの方法は、ディスクが所定の回転数に達するまでディスク判別を行なうことができないという欠点があった。
またディスクメディアによっては、ディスクメディア自身に書き込まれているＩＤを取得しなければならない場合もあり、一つのシステムで対応できるディスクの種類を増やせば増やすほど、ディスクメディア判別に要する時間も多くかかってしまった。
現在では、上記のような方法に対して、より高速に判別が可能となる改良がなされているが、いずれの方法にせよ、サーボ機構によってディスクを回転させるとともにピックアップモジュールからのレーザー照射を行う必要があり、メディアの判別方法の高速化には限界があった。
【０００４】
一方、非接触ＩＣ技術の発達により、ＩＳＯ規格化（ＩＳＯ１４４４３、ＩＳＯ１５６９３等）されているＲＦＩＤ（Ｒａｄｉｏ  Ｆｒｅｑｕｅｎｃｙ  Ｉｄｅｎｔｉｆｉｃａｔｉｏｎ）カードやＲＦＩＤタグを用いた、種々のアプリケーションが実用化されている。これらのＲＦＩＤタグは、個々に完全にユニークなＩＤを有しており、またメモリ領域にユーザーが自由にリード／ライトすることが可能なユーザー領域を有しているものもある。ＲＦＩＤタグのメモリに対するリード／ライトを行うためには、専用のＲＦＩＤリーダライタを必要とし、ＲＦＩＤリーダライタがＲＦＩＤタグの存在を認識するための通信距離は数ミリメートルから数メートルと様々である。
また、ＲＦＩＤリーダライタは、通信距離内に複数のＲＦＩＤタグがある場合（このような状態をコリジョンという）においても、個々にＲＦＩＤタグを認識しリード／ライトが可能である。
【０００５】
しかしながら、通信距離内に複数のＲＦＩＤタグが存在することの有無を認識できても、個々のＲＦＩＤタグの物理的な配置がどこにあるかを識別することは、ＲＦＩＤリーダライタが単独で行うことは不可能であった。
このようなＲＦＩＤを使って、ディスクメディアの内容を知る方法に関する技術は、特許文献１に開示されている。
この発明によれば、予めディスクメディア内にＲＦＩＤを埋め込んだＲＦＩＤ付きディスクメディアを作成し、記録再生機器に近づける（ＲＦＩＤの通信距離内にディスクメディアを移動する）ことで、そのディスクメディアに記憶されている記録内容について、ディスクの内容を表示することが可能である。
【０００６】
しかしながら、上記発明では、予めディスクメディアの製造時からＲＦＩＤを埋め込む必要があり、そのための特殊な技術を要し、さらにＲＦＩＤのＩＣチップ内にインデックスデータを保存できる程の大容量のＲＦＩＤを使用しなければならず、コストが増すというデメリットがあった。
さらに、インデックスを参照することは可能であっても、多種多様なディスクメディアに対応する機器にとっては、ディスクメディアを記録再生装置内に挿入してから、ディスクメディアの種類を判定する作業が発生するが、例えば緊急にＴＶ番組を録画したい時など種類の判定作業の終了を待ってからでないと録画を開始することができなかった。
【０００７】
【特許文献１】
特開２００１−２９７５６８号公報
【０００８】
【発明が解決しようとする課題】
上述のように多種類のディスクを記録再生するドライバ装置、またはドライバ装置を含む機器においては、筐体内にディスクが挿入されてから、そのディスクが認識されるまでに、多くの時間がかかり、ユーザーがディスク挿入後、即座に記録再生を行うことができないという問題があった。
【０００９】
本発明は、上記のような問題を鑑みてなされたもので、多種のディスクを記録再生する装置において、装置内に挿入されたメディアの種別を短時間で判定することを目的とし、また、判定の精度を向上することをも目的としている。
【００１０】
【課題を解決するための手段】
上記目的を達成するために、本発明は、ＲＦＩＤリーダライタと、ＲＦＩＤタグの固有ＩＤ情報とディスク種別の情報を１対１に対応させ記憶している履歴管理用の記憶手段を具備し、記録再生装置にメディアが挿入された時点で、ＲＦＩＤタグ固有のＩＤ情報を読み取り、上記履歴管理記憶手段内に記憶されているＲＦＩＤタグ固有のＩＤ情報から、上記読み取られたＩＤ情報と一致するものを検出して、一致したＲＦＩＤタグ固有のＩＤ情報と１対１に対応し記憶されているディスクメディア種別を読み取り、上記挿入されたディスクの種別を知ることを基本的構成として備え、短時間のうちに装置内に挿入されたメディアの種別を判定することを可能とする記録再生装置およびディスク判定方法である。
【００１１】
また、本発明をより好適な状態で実施するために、上記ＲＦＩＤタグの読み取り点を、ディスク挿入直前の第一のリードと、ディスク挿入直後の第二のリードとの２時点で行うよう制御する。また、第二のリードで得た情報を判定対象のディスク情報であるとすることによりコリジョン時の問題を解決している。
【００１２】
【発明の実施の形態】
本発明の実施の形態を図面を参照して説明する。
実施の形態１
図１は、本発明の記録再生装置の構成を模式的に示す説明図である。
記録再生装置は筐体１内に制御手段であるホストコントローラ２、ＲＦＩＤリーダライタ３、履歴管理用記憶手段（メモリ）４、および一般的なディスクメディア記録再生装置に含まれるピックアップモジュール５や図示しない信号処理回路、図示しないサーボ等を備えている。
【００１３】
ＲＦＩＤリーダライタ３は、ディスクメディアに貼付されているＲＦＩＤタグのＩＤ情報をリードすることが出来る。この場合のＲＦＩＤリーダライタ３がリードすることができる範囲は符号１１で示される範囲（通信領域１１）となっている。ＲＦＩＤタグはＲＦＩＤアンテナとメモリで構成される非接触型ＩＣタグである。
ホストコントローラ２はＲＦＩＤリーダライタ３や履歴管理用メモリ４を制御している。
履歴管理用メモリ４には、メディア種別情報とＩＤ情報が１対１に対応して記憶されている。
【００１４】
この筐体内に、ＲＦＩＤタグ１０２を貼付したディスクメディア１０１が挿入された場合を説明する。・・図１、図２参照
ディスクメディア１０１は筐体１の外側から可動域１２を通って筐体１内に挿入される。ＲＦＩＤタグ１０２が、ＲＦＩＤリーダライタ３の通信領域１１の範囲内に入ると、ＲＦＩＤリーダライタ３は、ただちにＲＦＩＤタグ１０２のタグ固有のＩＤ情報をリードし、そのＩＤ情報をホストコントローラ２に伝送する。
【００１５】
ホストコントローラ２は、取得したタグ固有のＩＤ情報と同一のＩＤ情報を、履歴管理用メモリ４から探索する。
一致するＩＤ情報が存在した場合には、そのＩＤ情報と１対１に対応して記憶されているメディア種別情報を読み取る。そして、筐体内に挿入されている記録再生対象であるディスクメディア１０１が、メディア種別情報で読み出されたメディアであると判定する。
一致するＩＤ情報が存在しなかった場合には、通常の機器と同様に、サーボ機構によりディスクを回転させ、ピックアップモジュール５によってデータ等を読み取ることで、ディスク種別を判定する。
履歴管理用メモリ４にＩＤ情報が存在しなかった場合、ホストコントローラ２は、ＲＦＩＤタグ固有のＩＤ情報とピックアップモジュール５を使用して判定されたディスクメディア種別を１対１に対応させた情報を履歴管理用メモリ４に書き込む。
【００１６】
ホストコントローラ２のこの制御により、同一（同種）のディスクが装置に２回目以降に挿入された場合には、情報履歴管理用メモリ４にはＩＤ情報とディスクメディア種別が１対１に対応させてに記憶されているので、サーボを回転させ、ピックアップモジュール５からレーザー照射することなしに、短時間のうちにディスクメディア種別を判定することができる。これによりホストコントローラ２はディスクメディア種別判定後、即座に各種メディアに対応した記録再生動作を開始することが可能となる。
また、ＲＦＩＤは数バイト程度を保存でき、かつ比較的柔軟に製造が可能でコスト的に安価なＲＦＩＤタグを用いることで実現が可能となる。
【００１７】
実施の形態２
この実施の形態では、判別を要求するディスクとは全く別のディスクがＲＦＩＤリーダライタがリードすることができる通信領域に存在する場合を説明する。例えば、図３に示すように、筐体１の外上面に別のディスクが載置されている場合。
ユーザーが実際にディスクメディア記録再生装置にディスクを挿入する場合、図２に示すように、矩形状に破線で示すディスク挿入時可動域１２内をディスク１０１が通過する。
ディスク挿入時可動域１２の範囲はトレイ式、スロットイン式などのディスク挿入機構（以降ローディングメカという）に依存している。
【００１８】
ホストコントローラ２は、筐体１内に記録再生をしようとするディスク（以後対象ディスクという）１０１がディスク挿入時可動域１２を通過して通信領域１１内部に納まった状態（図１図示の位置）で、ＲＦＩＤリーダライタ３によるＲＦＩＤタグの検知を行うよう制御する。このとき、ＲＦＩＤリーダライタ３は、通信領域１１内にある対象ディスク１０１のＲＦＩＤタグ１０２と別のディスク１０３に貼られているＲＦＩＤタグ１０４の２つを検知してしまう可能性がある（コリジョンの状態）。
そこで、この実施の形態に示すディスクメディア記録再生装置は、対象ディスク１０１が通信可能域に挿入される前と通信可能域に到達したとき、ＲＦＩＤリーダライタによるＲＦＩＤタグの有無を検知する構成としている。
【００１９】
すなわち、ホストコントローラ２は、たとえば、トレイなどのディスクの案内手段に対象ディスクが載置されたことを検知したとき、すなわち、ユーザーの意思によって挿入されようとしている対象ディスクに対してＲＦＩＤリーダライタ３によるＲＦＩＤタグをリードする第一のリードを実行する。このとき、挿入されようとしている対象ディスクは通信領域の外にあるのでＲＦＩＤタグ１０２の情報は検知されない。ＲＦＩＤタグ付きの別のディスク１０３が装置の上面通信領域１１内に乗っている場合、ＲＦＩＤリーダライタ３はディスクタグ１０４の情報をリードする。
ホストコントローラ２は第一のリードの時点で検知されたＲＦＩＤタグがある場合は、そのＲＦＩＤタグ固有のＩＤ情報を一時的に記憶部に記憶させておく。
一方、ユーザーの意思によって挿入されようとしている対象ディスク１０２がＲＦＩＤリーダライタ３の通信領域１１内に位置したとき、ホストコントローラ２はＲＦＩＤタグの有無を検知する第二のリードを実行するように、ＲＦＩＤリーダライタ３を制御する。
そして、記録再生ターゲットである対象ディスクの挿入が完了後に行う第二のリードにおいて、新たなＲＦＩＤタグが検知されたとき、ホストコントローラ２は、対象ディスク挿入前に検知されずに、ディスク挿入後の第二のリードにおいて検地されたＲＦＩＤタグを記録再生ターゲットである対象ディスクであると判定する。
【００２０】
このように判定したい対象ディスク１０１以外の他のディスク１０３が筐体１の上部分（ＲＦＩＤリーダライタ３の通信領域１１内）にあったときであっても、ＲＦＩＤリーダライタ３により検知された情報の内、ターゲットの対象ディスク１０１を判別することが出来る。
【００２１】
この構成を図３乃至図４で詳述する。
ターゲット以外のディスク１０３が通信領域１１内に存在する場合、対象ディスク１０１の挿入前の第一のリードにおいては、ディスク１０３に貼付されたＲＦＩＤタグ１０４のみが検知される。・・・図３参照
対象ディスク１０１が挿入された後の第二のリードにおいては、別のディスク１０３に貼付されたＲＦＩＤタグ１０４と、目的の対象ディスク１０１に貼付されたＲＦＩＤタグ１０２の両方が検知されるが、第二のリードにおける対象ディスク１０１が記録再生ターゲットであると判定できる。
【００２２】
コリジョンが発生する場合、ホストコントローラ２は判別しようとする対象ディスクがどちらかわからず、ピックアップモジュール５による従来の検知方法でしかディスクメディア種別の判定を行うことができなかったが、この構成により、短時間のうちにディスクメディア種別を判定することができる。また、ホストコントローラ２はディスクを機内に挿入する直前の第一のリードと、対象ディスクを挿入した直後の第二のリードの２時点でだけＲＦＩＤリーダライタ３を動作すれば良いので、装置付加による消費電力増を防ぐことができる。
【００２３】
従来においてはコリジョンの発生防止のため、筐体１を構成する際に、ＲＦＩＤリーダライタ３の通信領域１１が、筐体１の外部に絶対に漏れないよう設計しなければならず、筐体の設計に対して条件が厳しくなることや、筐体を構成する材料の選択の幅が狭まる不都合があったが、この構成により筐体１の設計や材質の自由度が向上し、ディスクメディア記録再生装置を安価に構成できる。
【００２４】
実施の形態３
この実施の形態は、記録中に予期しない現象（例えば停電による電源オフ）により不正にその記録動作が停止した場合、電源オン（復帰）後に直ちにディスクの復帰動作が実行できる構成を備えている。
この実施形態を、図１乃至図３を参照しながら説明する。
ホストコントローラ２はディスクメディア記録再生装置の電源がオフからオンになった時、ＲＦＩＤリーダライタ３によってＲＦＩＤタグのリードを行うよう制御する構成となっている。
この構成により、対象ディスク１０１が通信領域１１に挿入された状態でディスクメディア記録再生装置の電源がオフになった場合、電源がオンになった直後にメディア種別を判定することができる。
また、予めホストコントローラ２は、記録再生ターゲットである対象ディスクがローディングメカに挿入された直後に、ＲＦＩＤリーダライタ３によって対象ディスクが装置内に挿入中であることを示すフラグをセットする。そして、ユーザーの意思によってディスクがイジェクトされる直前に、フラグをリセットするように制御する構成とする。
【００２５】
ホストコントローラ２は対象ディスク１０１がローディングメカに挿入されたことが検知されたとき、ターゲットであるＲＦＩＤタグ１０２のメモリに対し、装置内に挿入中であることを示すフラグをセットするようＲＦＩＤリーダライタ３を制御する。そして、イジェクト指令がなされたとき、対象ディスクのＲＦＩＤタグ１０２のメモリから、上記フラグをリセットするように制御する。
上述のような構成によって、例えば電源がオンとなった直後に通信領域に他のディスクが存在する図４のような状態でコリジョンが発生した場合でも、挿入中であることを示すフラグを、ＲＦＩＤタグ１０２、あるいはＲＦＩＤタグ１０４からＲＦＩＤリーダライタ３によって読み出すことによって、フラグを検知できたＲＦＩＤタグ１０２が記録再生ターゲット（対象ディスク）として、ディスクのメディア種別を判定することが可能となる。
なお、上記フラグの保存場所はＲＦＩＤタグに限らず、履歴管理用メモリ４内に記憶しておいても良い。
【００２６】
従来のディスクメディア記録再生装置においては、記録中に予期しない現象（例えば停電による電源オフ）により不正にその記録動作が停止した場合、電源オン後にディスクに書き込まれている情報から不正に記録動作が停止して終了していることを検知してから、そのディスクの復帰動作を行わなければならなかった。
従って、例えば停電により、記録動作中に該装置の電源がオフとなり、不正にその記録動作が停止した場合、再び電源をオンとした後で、まず該装置内にディスクメディアがあるか否か、およびディスクメディアが存在した場合、そのメディア種別を判定した後で、ディスクに書き込まれている情報をピックアップにより読み出し、さらにそのディスクが前回不正に記録動作を停止していることを検知し、修復動作に入っていたので、ユーザーの意思によって、通常の記録再生動作を開始できるようになるまでに長い時間を要していた。
【００２７】
本実施の形態によるディスクメディア記録再生装置は対象ディスクに対して記録動作が開始された時点で、該ディスクに貼付されているＲＦＩＤタグのメモリに対して、記録動作中であることを示すフラグをセットし、対象ディスクに対する記録動作が終了した時点でこの記録動作中であることを示すフラグをリセットするように制御する構成となっている。従って、もし記録動作中に予期しない現象（例えば停電による電源オフ）により不正にその記録動作が停止した場合でも、電源オン直後に上記フラグを読み取り、フラグがセットされていることを検知して、不正に記録動作を停止したと判定し、メディア種別の判定や、不正な記録動作停止の判定を、ピックアップモジュールからデータを読み取る以前に知ることができるので、即座に復帰動作を開始することができる。
なお、このフラグについても、その保存場所はＲＦＩＤタグに限らず、履歴管理用メモリ４内に記憶しておいても良い。
【００２８】
実施の形態４
また、本発明のディスクメディア記録再生装置は、ＤＶＤレコーダー等の映像や音声の記録再生が可能なシステム機器において、特にハードディスクドライブ（以下ＨＤＤと記す）との複合型のシステム機器に用いることにより、ユーザーに対して更なる利便性を与えることができる。
この実施形態について図５を参照しながら説明する。
ディスクメディア記録再生装置はＨＤＤ６を備え、ホストコントローラ２によって記録再生する映像情報または音声情報をＨＤＤ６とするか、ディスク１０１とするか、またはその両方を時分割多重に記録／再生を操作できる。
ディスク初回挿入時に、上述の方法により履歴管理用メモリ４内にＲＦＩＤタグ１０２の固有ＩＤ情報とメディア種別を１対１で記憶すると共に、ここではさらにディスク１０１に記録されている映像／音声情報のインデックスを作成し、ＨＤＤ６上の特定の領域に記憶しておき、履歴管理用メモリ４には、その特定領域を示すアドレス情報を上記ＲＦＩＤタグ１０２の固有ＩＤ情報と１対１で記憶させておく。
また、履歴管理用メモリ４は、ＨＤＤ６上に履歴管理用の領域を確保することで履歴管理用メモリ４をＨＤＤで構成しても良い。
【００２９】
このインデックスについては、映像情報だけであっても良いし、音声情報だけであってもよいし、文字情報だけであってもよい。また、それらの複合であっても良いし、それぞれの情報が元映像／元音声に対して圧縮された情報であっても良い。
【００３０】
これにより、２回目以降にディスク１０１を挿入した場合には、前述の方法によりメディア種別を即座に判定すると共に、さらに、履歴管理用メモリ４に記憶されている、ＨＤＤ６上のディスク１０１のインデックス情報のあるアドレス情報を読み出し、ユーザーが映像を閲覧するための映像表示装置にＨＤＤ６上から読み出したインデックス情報を先行して表示させることができる。
そして、ユーザーが再生画像または記録画像を選択している間に、ディスク１０１の記録再生準備を行う。
従ってユーザーはディスク挿入直後からユーザー操作が可能となり、ユーザーにとってより良い映像／音声の視聴環境を与えるこが可能となる。
【００３１】
【発明の効果】
本発明によれば、多種のディスクメディアに対応したドライバ装置またはドライバ装置を含む機器において、ごく短時間の内に記録再生ターゲットとすべきメディアの種別を判定できるので、ディスク挿入直後に記録再生動作を開始できるという、ユーザーにとって好適なシステム環境を与えることができる。
また、ＲＦＩＤタグは数バイト程度を保存でき、かつ比較的柔軟に製造が可能でコスト的に安価なＲＦＩＤタグを用いることで実現が可能であるので、その形状の自由度や経済性も向上する。
【図面の簡単な説明】
【図１】本発明の構成（装置内にディスクが挿入された直後の状態）を示す図である。
【図２】本発明の構成（装置内にディスクが挿入される直前の状態）を示す図である。
【図３】本発明の構成（ディスクは挿入直前、後装置外上部に他のディスクが置かれている状態）を示す図である。
【図４】本発明の構成（ディスクは挿入直後、装置外上部に他のディスクが置かれている状態）を示す図である。
【図５】本発明の一実施例を示す図である。
【符号の説明】
１  筐体を示す
２  ホストコントローラを示す
３  ＲＦＩＤリーダライタを示す
４  履歴管理用メモリを示す
５  ピックアップモジュールを示す
６  ハードディスクドライブを示す
１１  ＲＦＩＤリーダライタが通信することが可能な通信距離を示す
１２  ディスクを挿入するための機構（ローディングメカ）およびその可動域を示す
１０１  ディスクメディアを示す
１０２  ディスクメディアに貼付されたＲＦＩＤタグを示す
【図１】
2004362628.tif 000003
【図２】
2004362628.tif 000004
【図３】
2004362628.tif 000005
【図４】
2004362628.tif 000006
【図５】
2004362628.tif 000007